(57)【特許請求の範囲】
【請求項１】
軟質合成樹脂からなる原シートより、角度が異なる斜め刃と縦刃を用いて、デスクマットやテーブルマットとなる製品シートを切り抜く軟質樹脂シートの端縁加工方法であって、
支持台に対して前記原シートを移動不能に保持するシート保持工程と、
前記支持台に保持された前記原シートの表面に対し前記斜め刃を挿入して、前記製品シートの外形状に沿うように移動させることにより、前記製品シートを囲むように傾斜切れ目を形成する第一カッティング工程と、
前記支持台に保持された前記原シートの前記表面に対し前記縦刃を裏面まで届くように挿入して、前記製品シートの外形状に沿うように移動させることにより、前記傾斜切れ目と繋がる縦切れ目が前記製品シートを囲むように形成されるとともに、前記原シートから前記製品シートを分離する第二カッティング工程と、を含み、
前記第一カッティング工程では、前記傾斜切れ目による傾斜面の傾斜角度を、前記原シートの前記裏面に対して３５〜５５度に設定し、前記第二カッティング工程では、前記縦切れ目による垂直面の角度を前記原シートの前記表面及び前記裏面に対して垂直に設定し、前記傾斜面と前記垂直面の交差角度が鈍角になることを特徴とする軟質樹脂シートの端縁加工方法。
【請求項２】
前記第一カッティング工程では、前記原シートに対して前記斜め刃を、その刃先が前記原シートの厚み方向途中で止まるように挿入して、前記傾斜切れ目を前記原シートから前記製品シートが未分離状態となるように形成し、
前記第二カッティング工程では、前記縦刃を前記傾斜切れ目に向けて挿入したことを特徴とする請求項１記載の軟質樹脂シートの端縁加工方法。
【請求項３】
軟質合成樹脂からなるデスクマットやテーブルマットとなる製品シートであって、
その端縁に、傾斜切れ目による傾斜面と、前記傾斜面と繋がる縦切れ目による垂直面と、を全周に亘って備え、
前記傾斜面の傾斜角度が、シート裏面に対して３５〜５５度であり、前記垂直面の角度がシート表面及び前記シート裏面に対して垂直であり、前記傾斜面と前記垂直面の交差角度が鈍角になることを特徴とする製品シート。
【発明の詳細な説明】
【技術分野】
【０００１】
本発明は、例えばポリ塩化ビニルなどの軟質合成樹脂からなるデスクマットやテーブルマットなどの製造に用いられる軟質樹脂シートの端縁加工方法、及び、その方法を用いて生産された、デスクマットやテーブルマットなどの製品シートに関する。
【背景技術】
【０００２】
従来、この種の軟質樹脂シートの端縁加工方法として、軟質プラスチックシートよりなるデスクマットの周辺側面を上方にかけて内側に傾くような上向きの斜面に形成したものがある（例えば、特許文献１参照）。
【先行技術文献】
【特許文献】
【０００３】
【特許文献１】登録実用新案第３０３３１３２号公報
【発明の概要】
【発明が解決しようとする課題】
【０００４】
しかし乍ら、このような従来の軟質樹脂シートの端縁加工方法では、デスクマットなどの製品シートにおいてシート端縁の角度が鋭角となるため、人体が接触すると、接触角度と接触した時の力によっては人体に怪我を与えるおそれがあり、取り扱いに注意が必要であった。
そこで、シート端縁を面取り加工することが考えられる。効率的にシート端縁の面取り加工を行うには、ＮＣルーターなどを用い、高速回転の切削歯でシート端縁の面取り箇所を研削することになる。
しかし、この場合には、シート端縁の面取り箇所に切削歯を正確に位置合わせする必要があって、その位置合わせに手間取り、調査作業に時間を要するとともに、多量の削りカスが発生してその廃棄に手間と時間を要し、大量生産に不向きであるという問題がある。
【０００５】
本発明は、このような問題に対処することを課題とするものであり、原シートに対する製品シートの切り出し加工と面取り加工を同時に且つ簡単に行うこと、などを目的とするものである。
【課題を解決するための手段】
【０００６】
このような目的を達成するために本発明による軟質樹脂シートの端縁加工方法は、軟質合成樹脂からなる原シートより、角度が異なる斜め刃と縦刃を用いて、デスクマットやテーブルマットとなる製品シートを切り抜く軟質樹脂シートの端縁加工方法であって、支持台に対して前記原シートを移動不能に保持するシート保持工程と、前記支持台に保持された前記原シートの表面に対し前記斜め刃を挿入して、前記製品シートの外形状に沿うように移動させることにより、前記製品シートを囲むように傾斜切れ目を形成する第一カッティング工程と、前記支持台に保持された前記原シートの前記表面に対し前記縦刃を裏面まで届くように挿入して、前記製品シートの外形状に沿うように移動させることにより、前記傾斜切れ目と繋がる縦切れ目が前記製品シートを囲むように形成されるとともに、前記原シートから前記製品シートを分離する第二カッティング工程と、を含み、前記第一カッティング工程では、前記傾斜切れ目による傾斜面の傾斜角度を、前記原シートの前記裏面に対して３５〜５５度に設定し、前記第二カッティング工程では、前記縦切れ目による垂直面の角度を前記原シートの前記表面及び前記裏面に対して垂直に設定し、前記傾斜面と前記垂直面の交差角度が鈍角になることを特徴とする。
【０００７】
また本発明による製品シートは、軟質合成樹脂からなるデスクマットやテーブルマットとなる製品シートであって、その端縁に、傾斜切れ目による傾斜面と、前記傾斜面と繋がる縦切れ目による垂直面と、を全周に亘って備え、前記傾斜面の傾斜角度が、シート裏面に対して３５〜５５度であり、前記垂直面の角度がシート表面及び前記シート裏面に対して垂直であり、前記傾斜面と前記垂直面の交差角度が鈍角になることを特徴とする。
【発明の効果】
【０００８】
前述した特徴を有する本発明による軟質樹脂シートの端縁加工方法は、支持台に保持された原シートの表面に斜め刃で傾斜切れ目を形成した後に、縦刃で傾斜切れ目と繋がる縦切れ目が形成されて、原シートから製品シートが分離されるので、原シートに対する製品シートの切り出し加工と面取り加工を同時に且つ簡単に行うことができる。
その結果、ＮＣルーターなどを用い高速回転の切削歯でシート端縁の面取り箇所を研削する方法に比べ、面取り加工のために改めて位置合わせする必要がないとともに、削りカスも発生しないため、大量生産できてコストの低減化が図れる。
【０００９】
また、前述した特徴を有する本発明による製品シートは、斜面と垂直面が交差する面取り部の角度が鈍角となるので、シート端縁との接触に伴う怪我を防止することができる。
その結果、安全性の向上が図れて、製品シートの取り扱いが容易になる。
【図面の簡単な説明】
【００１０】
【図１】本発明の実施形態に係る軟質樹脂シートの端縁加工方法を示す説明図（部分的な縦断正面図）であり、その工程順にしたがって（ａ）にシート保持工程を示し、（ｂ）に第一カッティング工程を示し、（ｃ）に第二カッティング工程を示している。
【図２】本発明の実施形態に係る製品シートを示す説明図（斜視図）である。
【発明を実施するための形態】
【００１１】
以下、本発明の実施形態を図面に基づいて詳細に説明する。
本発明の実施形態に係る軟質樹脂シートの端縁加工方法は、軟質合成樹脂からなる原シート１より、角度が異なる斜め刃２と縦刃３を用いて製品シートＡを切り抜くために用いられる製品シートＡの製造方法である。
詳しく説明すると、軟質樹脂シートの端縁加工方法は、図１（ａ）〜（ｃ）に示すように、支持台Ｂに対して原シート１を移動不能に保持するシート保持工程と、原シート１の表面１ａに対し斜め刃２を挿入して製品シートＡの外形状に沿うように傾斜切れ目１Ｓを形成する第一カッティング工程と、支持台Ｂに保持された原シート１の表面１ａに対し縦刃３を挿入して傾斜切れ目１Ｓと繋がる縦切れ目１Ｐを製品シートＡの外形状に沿うように形成するとともに原シート１から製品シートＡを分離する第二カッティング工程を含んでいる。
【００１２】
原シート１は、例えばポリ塩化ビニル（塩ビ）やその他の合成樹脂などの軟質合成樹脂を、その厚みが約２ｍｍ前後か又はそれよりも厚い平板状に形成することで構成される。
原シート１を構成する軟質合成樹脂は、無色や有色の透明又は半透明の樹脂を用いることが好ましい。また、その他の例として、不透明な軟質合成樹脂で原シート１を構成することも可能であれる。
製品シートＡの具体例としては、例えばデスクマットやテーブルマットなど、その表面１ａ側のみを使用するものが好ましい。また、その他の例として、一対の製品シートＡの裏面１ｂ同士を貼り合わせるなどして、その両面を使用可能にすることも可能である。
【００１３】
支持台Ｂは、カッティングテーブルとも呼ばれ、その上面Ｂ１に複数の吸引孔Ｂ２が所定間隔毎に開設され、各吸引孔Ｂ２に連通する例えばコンプレッサーなどからなる吸引源（図示しない）の作動により、上面Ｂ１に対して原シート１を移動不能に吸着保持するように構成されている。
【００１４】
さらに、支持台Ｂの上面Ｂ１と対向する位置には、斜め刃２と縦刃３が配設される。
斜め刃２及び縦刃３は、例えばカッティングプロッターやＮＣカッターなどの切断加工機（図示しない）に備えられる。切断加工機の数値制御（ＮＣ）に基づいて斜め刃２及び縦刃３は、予め設定された形状に沿ってそれを囲むように移動させるとともに、それぞれの刃先２ａ，３ａを支持台Ｂの上面に保持された原シート１に対して、設定された深さまで挿入させるように作動制御されている。
斜め刃２の傾斜角度θは、原シート１の裏面１ｂに対して約３５〜５５度、詳しくは４０〜４５度に設定することが好ましい。
縦刃３の角度は、原シート１の表面１ａに対して略垂直に設定することが好ましい。
【００１５】
シート保持工程では、図１（ａ）に示されるように、作業者が手作業で原シート１を搬入するか、又はロボットなどのシート搬送手段（図示しない）を用いて原シート１が搬入され、支持台Ｂの上面Ｂ１における所定位置に原シート１を載置することで、吸引孔Ｂ２によって移動不能に吸着保持される。
【００１６】
第一カッティング工程では、図１（ｂ）に示されるように、シート保持工程で保持された原シート１の表面１ａに対し斜め刃２を挿入して、その挿入状態を維持しながら、製品シートＡの外形状に沿うように移動させる。
それにより、傾斜切れ目１Ｓが製品シートＡを囲むように断面ハの字形に連続形成される。
この際、原シート１に対して斜め刃２を、その刃先２ａが原シート１の裏面１ｂまで至らず厚さ方向の途中で止まるように作動制御することが好ましい。
また、その他の例として、斜め刃２の刃先２ａを原シート１の裏面１ｂまで届くように作動制御することも可能である。
【００１７】
第二カッティング工程では、図１（ｃ）に示されるように、第一カッティング工程と同じく支持台Ｂに位置決めされた原シート１の表面１ａに対し縦刃３を挿入して、その挿入状態を維持しながら、製品シートＡの外形状に沿うように移動させる。
それにより、傾斜切れ目１Ｓの先端近くと繋がる縦切れ目１Ｐが製品シートＡを囲むように環状に連続形成される。
この際、縦刃３の刃先３ａは、原シート１の裏面１ｂまで届くように作動制御されて、原シート１を製品シートＡと余白部１Ｍに分離させ、原シート１から製品シートＡが切り抜き（切り出し）可能になる。
【００１８】
このような本発明の実施形態に係る軟質樹脂シートの端縁加工方法によると、支持台Ｂに保持された原シート１の表面１ａに斜め刃２で傾斜切れ目１Ｓを形成した後に、縦刃３で傾斜切れ目１Ｓと繋がる縦切れ目１Ｐが形成されて、原シート１から製品シートＡが分離される。
したがって、原シート１に対する製品シートＡの切り出し加工と面取り加工を同時に且つ簡単に行うことができる。
【００１９】
また、このような本発明の実施形態に係る軟質樹脂シートの端縁加工方法を用いて生産された製品シートＡは、図２に示すように、その端縁に傾斜切れ目１Ｓによる斜面Ａ１と、縦切れ目１Ｐによる原シート１の表面１ａ及び裏面１ｂに対して略垂直な垂直面Ａ２が全周に亘って形成される。
それにより、斜面Ａ１と垂直面Ａ２が交差する面取り部Ａ３の角度が鈍角となる。
したがって、製品シートＡの端縁（外縁）に人体が接触しても怪我をするおそれがない。
次に、本発明の一実施例を図面に基づいて説明する。
【実施例】
【００２０】
この実施例は、第一カッティング工程において、図１（ｂ）に示すように、原シート１の表面１ａに対して斜め刃２を、その刃先２ａが原シート１の厚み方向途中で止まるように挿入して、傾斜切れ目１Ｓを原シート１から製品シートＡが未分離状態となるように形成し、その後の第二カッティング工程において、図１（ｃ）に示すように、縦刃３を傾斜切れ目１Ｓに向けて挿入している。
さらに、この実施例では、図２に示すように、製品シートＡが透明又は半透明なデスクマットやテーブルマットである場合を示している。
【００２１】
図１（ｃ）に示される例では、縦刃３を傾斜切れ目１Ｓの先端近くに向けて挿入することにより、製品シートＡの面積が少しでも広くなるように切り出している。
また、その他の例として図示しないが、傾斜切れ目１Ｓの中間位置に向けて縦刃３を挿入することも可能である。
【００２２】
さらに、図示される例では、支持台Ｂの上面Ｂ１に、斜め刃２の刃先２ａや縦刃３の刃先３ａよりも柔らかい、例えばゴムや合成樹脂などの材料からなる切り込み板Ｂ３を着脱自在に取り付けている。
それによって、斜め刃２の刃先２ａや縦刃３の刃先３ａが原シート１の裏面１ｂを貫通しても、切り込み板Ｂ３に接触するだけで、支持台Ｂの硬質な本体Ｂ４との接触による切れ味の低下を防止している。
また、切り込み板Ｂ３は、多数の切り溝が生じて、原シート１の切断に支障が出る場合には、切り込み板Ｂ３のみを新しい無傷のものに交換する。
【００２３】
このような本発明の実施例に係る軟質樹脂シートの端縁加工方法によると、斜め刃２の挿入により傾斜切れ目１Ｓが原シート１の厚み方向途中まで形成され、原シート１から製品シートＡがまだ分離されていない未分離状態で、縦刃３を傾斜切れ目１Ｓに向けて挿入するため、縦刃３の挿入に伴って製品シートＡの端縁となる箇所が逃げるなどの位置ズレが発生せず、傾斜切れ目１Ｓと正確に繋がるように縦切れ目１Ｐが形成される。
したがって、傾斜切れ目１Ｓと縦切れ目１Ｐを確実に位置合わせすることができる。
その結果、縦刃３の挿入位置を調整し直す必要がなく、精密な切り出し加工と面取り加工を行うことができるという利点がある。
【００２４】
なお、前示実施例では、製品シートＡが透明又は半透明なデスクマットやテーブルマットである場合を示したが、これに限定されず、不透明なデスクマットやテーブルマット又はそれ以外のものであっても良い。これらの場合も前示した実施例と同様な作用効果が得られる。
さらに図示例では、支持台Ｂの上面Ｂ１に切り込み板Ｂ３を着脱自在に取り付けたが、これに限定されず、切り込み板Ｂ３に代わって、原シート１の裏面１ｂに斜め刃２の刃先２ａや縦刃３の刃先３ａよりも柔らかい紙などを着脱自在に接着しても良い。
【符号の説明】
【００２５】
１  原シート                              １ａ  表面
１ｂ  裏面                                １Ｓ  傾斜切れ目
１Ｐ  縦切れ目                            ２  斜め刃
２ａ  刃先                                ３  縦刃
Ａ  製品シート                            Ａ１  傾斜面
Ａ２  垂直面                              Ｂ  支持台
【図１】
0005941671.tif 000002
【図２】
0005941671.tif 000003